(57)【要約】      （修正有）【課題】人間の平均的な頭部形状以外のヘルメット装着者がヘルメットを装着する場合でも、ヘルメットをその頭部にほぼ最適に適合させることが可能とする。【解決手段】キャップ状頭部用裏当てカバー２２が、複数種類のカバー構成体３１〜３７から成っている。上記複数種類のカバー構成体のそれぞれが、カバー本体部分４１、５２、７１、８１、９１と、このカバー本体部分を別の上記カバー構成体の上記カバー本体部分に分離自在に連結して組み合せることができる連結手段とを備えている。上記複数種類のそれぞれの上記カバー本体部分４１、５２、７１、８１、９１を上記連結手段によって互いに連結して組み合せることによって、上記複数種類のカバー構成体３１〜３７から成る単独で独立した状態のキャップ状頭部用裏当てカバー２２を構成することができる。【選択図】図５
2008190084.tif 000002
【特許請求の範囲】
【請求項１】
キャップ状の頭部用裏当てカバーが、その内部に装着されているヘルメットにおいて、
上記キャップ状頭部用裏当てカバーが、複数種類のカバー構成体から成り、
上記複数種類のカバー構成体のそれぞれが、カバー本体部分と、このカバー本体部分を別の上記カバー構成体の上記カバー本体部分に分離自在に連結して組み合せることができる連結手段とを備え、
上記複数種類のそれぞれの上記カバー本体部分を上記連結手段によって互いに連結して組み合せることによって、上記複数種類のカバー構成体から成る単独で独立した状態の上記キャップ状頭部用裏当てカバーを構成することができ、
上記連結手段による上記カバー本体部分の互いの連結を解除して互いに分離することによって、上記キャップ状頭部用裏当てカバーを単独で独立した状態の上記複数種類のカバー構成体のそれぞれに分離し得るように構成したことを特徴とするヘルメット。
【請求項２】
上記複数種類のカバー構成体のうちの第１のカバー構成体が、ヘルメット装着者の前頭部および後頭部にそれぞれほぼ対向する上記頭部用裏当てカバーの前頭領域および後頭領域から成る領域のうちの少なくとも一部分の領域を含む領域にほぼ位置し、
上記複数種類のカバー構成体のうちの第２のカバー構成体が、ヘルメット装着者の左側頭部および右側頭部にそれぞれほぼ対向する上記頭部用裏当てカバーの左側頭領域および右側頭領域から成る領域のうちの少なくとも一部分の領域を含む領域にほぼ位置していることを特徴とする請求項１に記載のヘルメット。
【請求項３】
上記複数種類のカバー構成体のうちの第３のカバー構成体が、ヘルメット装着者の頭頂部にほぼ対向する上記頭部用裏当てカバーの頭頂領域のうちの少なくとも一部分の領域を含む領域にほぼ位置していることを特徴とする請求項２に記載のヘルメット。
【請求項４】
上記頭部用裏当てカバーが、ヘルメット装着者の前頭部、頭頂部、左側頭部、右側頭部および後頭部にそれぞれほぼ対向する上記頭部用裏当てカバーの前頭領域、頭頂領域、左側頭領域、右側頭領域および後頭領域にそれぞれほぼ位置する前頭部用カバー構成体、頭頂部用カバー構成体、左側頭部用カバー構成体、右側頭部用カバー構成体および後頭部用カバー構成体を備えていることを特徴とする請求項１に記載のヘルメット。
【請求項５】
上記複数種類のカバー構成体が、ヘルメット装着者の後頭上部および後頭下部にそれぞれほぼ対向する上記頭部用裏当てカバーの後頭領域の上側部分および下側部分にそれぞれほぼ位置する後頭上部用カバー構成体および後頭下部用カバー構成体をそれぞれ含み、
上記後頭上部用カバー構成体および上記後頭下部用カバー構成体によって、ヘルメット装着者の後頭部にほぼ対向する後頭領域にほぼ位置する複合形の後頭部用カバー構成体が構成されていることを特徴とする請求項１〜４のうちのいずれか１つに記載のヘルメット。
【請求項６】
上記複数種類のカバー構成体のうちの少なくとも１種類のカバー構成体のカバー本体部分が、発泡合成樹脂から成る弾性層を含んでいることを特徴とする請求項１〜５のうちのいずれか１つに記載のヘルメット。
【請求項７】
請求項１〜６のうちのいずれか１つの記載のヘルメットのサイズを調整する方法であって、
上記複数種類のカバー構成体のうちの少なくとも１種類のカバー構成体について、少なくとも厚さが異なる別のカバー構成体を予め少なくとも１種類用意し、
上記複数種類のカバー構成体のうちの少なくとも１種類のカバー構成体を、予め用意した上記別のカバー構成体に交換することによって、上記ヘルメットの頭部収容空間のうちの少なくとも１箇所のサイズを異ならせるようにしたことを特徴とするヘルメットサイズの調整方法。
【発明の詳細な説明】
【技術分野】
【０００１】
本発明は、キャップ状の頭部用裏当てカバーがその内部に装着されているヘルメットに関し、また、このようなヘルメットのサイズを調整する方法にも関するものである。
【背景技術】
【０００２】
ヘルメットのサイズとしては、一般的に、Ｓサイズ（５５〜５６ｃｍ）、Ｍサイズ（５７〜５８ｃｍ）、Ｌサイズ（５９〜６０ｃｍ）およびＸＬサイズ（６１ｃｍ以上）の４種類が知られている。なお、上記数値は、ヘルメット装着者の頭部の周囲長寸法を示すものである。そして、これら４種類のサイズのヘルメットは、その頭部収容空間の頭部周囲長に対応する部分が互いにほぼ相似するほぼ楕円形になっている。
【０００３】
ヘルメットを販売しているヘルメット販売店では、ヘルメットを装着する予定のヘルメット装着予定者などのヘルメット購入予定者にヘルメットを販売する場合、ヘルメット購入予定者が申出るサイズのヘルメットをこのヘルメット購入予定者に販売するか、あるいは、ヘルメット装着予定者の頭部の周囲長寸法を巻尺などで実測し、この実測値に対応した巻尺上の適合サイズ表示から適合サイズの種類を選定し、この選定した種類のヘルメットを販売するようにしている。
【０００４】
また、楕円形状演算用のソフトウエア（すなわちコンピュータ・プログラム）を用いたパソコンをヘルメット販売店などで使用することも、従来から知られている。この場合、ヘルメット装着予定者の頭部の前後長寸法および左右幅寸法を頭部サイズ測定具、物差し、その他の測定具で実測し、上記パソコンを用いてこれらの実測値から頭部の周囲長寸法を算出し、この算出値と各種のサイズのヘルメットに付されているサイズ表示とから推奨すべきヘルメットサイズの種類を選定するようにしている。
【発明の開示】
【発明が解決しようとする課題】
【０００５】
しかし、上述のような従来の方法では、つぎに述べるような欠点がある。すなわち、上述のように巻尺で頭部の周囲長寸法を実測する場合でも、また、楕円形状演算用プログラムを用いて頭部の周囲長を算出する場合でも、ヘルメット装着予定者の頭部が人間の平均的な楕円形状とほぼ相似する特定の楕円形状であることを擬制している。したがって、この特定の楕円形状の長軸と短軸との比は、ヘルメットサイズの種類にかかわらずほぼ一定である。
【０００６】
一方、ヘルメット装着予定者の頭部の周囲の形状は、周囲長寸法が仮に同じであっても個人差があるので、必ずしも上記特定の楕円形状とほぼ一致するとは限らない。このために、ヘルメット装着予定者の頭部の周囲長寸法のみでヘルメットのサイズの種類を選定しても、この選定した種類のサイズのヘルメットが、ヘルメット装着予定者の頭部にフィット（すなわち、適合）しない場合がある。そして、このような場合には、ヘルメット装着予定者は、必要以上に大きなサイズのヘルメットを着用しなければならない。
【０００７】
例えば、特許文献１には、上述のような従来の方法における欠点を除去するために、ネックパッドにポケットを設け、このポケットに板状の調整パッドを挿入することによって、ヘルメットのサイズを調整することが開示されている。しかし、この場合には、ヘルメットのサイズを小さくすることはできるが、大きくすることはできない。また、板状の調整パッドをポケットに挿入するようにしているから、ポケットへの調整パッドの出し入れ操作が煩雑であるだけでなく、ヘルメットの内周面がごわごわした感じになるから、ヘルメットの装着時に違和感を生じて被り心地が悪くなる。なお、このようなごわごわ感をなくすために調整パッドの外周囲を外周側に向って次第に薄くなるテーパー状にすることも考えられるが、ポケットへの調整パッドの出し入れ操作がさらに煩雑になり、しかも、調整パッドが損傷および破損し易くなる。
【特許文献１】特開２０００−１６０４２４号公報
【０００８】
本発明は、上述のような従来の方法および特許文献１の方法の欠点を比較的簡単な構成により効果的に是正し得るようにしたものである。
【特許文献１】特開２０００−１６０４２４号公報
【課題を解決するための手段】
【０００９】
本発明は、その第１の観点によれば、キャップ状の頭部用裏当てカバーが、その内部に装着されているヘルメットにおいて、上記キャップ状頭部用裏当てカバーが、複数種類のカバー構成体から成り、上記複数種類のカバー構成体のそれぞれが、カバー本体部分と、このカバー本体部分を別の上記カバー構成体の上記カバー本体部分に分離自在に連結して組み合せることができる連結手段とを備え、上記複数種類のそれぞれの上記カバー本体部分を上記連結手段によって互いに連結して組み合せることによって、上記複数種類のカバー構成体から成る単独で独立した状態の上記キャップ状頭部用裏当てカバーを構成することができるようにしている。また、上記連結手段による上記カバー本体部分の互いの連結を解除して互いに分離することによって、上記キャップ状頭部用裏当てカバーを単独で独立した状態の上記複数種類のカバー構成体のそれぞれに分離し得るように構成している。
【００１０】
本発明の上記第１の観点においては、その第１の態様によれば、上記複数種類のカバー構成体のうちの第１のカバー構成体が、ヘルメット装着者の前頭部および後頭部にそれぞれほぼ対向する上記頭部用裏当てカバーの前頭領域および後頭領域から成る領域のうちの少なくとも一部分の領域を含む領域（例えば、前頭領域または後頭領域）にほぼ位置し、上記複数種類のカバー構成体のうちの第２のカバー構成体が、ヘルメット装着者の左側頭部および右側頭部にそれぞれほぼ対向する上記頭部用裏当てカバーの左側頭領域および右側頭領域から成る領域のうちの少なくとも一部分の領域を含む領域（例えば、左側頭領域または右側頭領域）にほぼ位置している。この場合、上記複数種類のカバー構成体のうちの第３のカバー構成体が、ヘルメット装着者の頭頂部にほぼ対向する上記頭部用裏当てカバーの頭頂領域のうちの少なくとも一部分の領域を含む領域（例えば、頭頂領域）にほぼ位置していることができる。
【００１１】
本発明の上記第１の観点においては、その第２の態様によれば、上記頭部用裏当てカバーが、ヘルメット装着者の前頭部、頭頂部、左側頭部、右側頭部および後頭部にそれぞれほぼ対向する上記頭部用裏当てカバーの前頭領域、頭頂領域、左側頭領域、右側頭領域および後頭領域にそれぞれほぼ位置する前頭部用カバー構成体、頭頂部用カバー構成体、左側頭部用カバー構成体、右側頭部用カバー構成体および後頭部用カバー構成体を備えている。また、本発明の上記第１の観点においては、その第３の態様によれば、上記複数種類のカバー構成体が、ヘルメット装着者の後頭上部および後頭下部にそれぞれほぼ対向する上記頭部用裏当てカバーの後頭領域の上側部分および下側部分にそれぞれほぼ位置する後頭上部用カバー構成体および後頭下部用カバー構成体をそれぞれ含み、上記後頭上部用カバー構成体および上記後頭下部用カバー構成体によって、ヘルメット装着者の後頭部にほぼ対向する後頭領域にほぼ位置する複合形の後頭部用カバー構成体が構成されている。さらに、本発明の上記第１の観点においては、その第４の態様によれば、上記複数種類のカバー構成体のうちの少なくとも１種類（好ましくは、全部の種類）のカバー構成体のカバー本体部分が、発泡合成樹脂から成る弾性層を含んでいる。
【００１２】
本発明は、その第２の観点によれば、上記第１の観点によるヘルメットのサイズを調整する方法であって、上記複数種類のカバー構成体のうちの少なくとも１種類（好ましくは、全部の種類）のカバー構成体について、少なくとも厚さが異なる別のカバー構成体を予め少なくとも１種類（好ましくは、２〜５種類などの数種類）用意し、上記複数種類のカバー構成体のうちの少なくとも１種類のカバー構成体を、予め用意した上記別のカバー構成体に交換することによって、上記ヘルメットの頭部収容空間のうちの少なくとも１箇所のサイズを異ならせるようにしている。
【発明の効果】
【００１３】
本発明によれば、キャップ状頭部用裏当てカバーを構成している複数種類のカバー構成体のうちの任意の数の種類のカバー構成体自体をそっくり交換することができる。したがって、キャップ状頭部用裏当てカバーを構成しているカバー構成体の種類が多ければ多い程、人間の平均的な頭部形状以外のヘルメット装着者がヘルメットを装着する場合でも、ヘルメットをその頭部にほぼ最適に適合させることが可能である。また、キャップ状頭部用裏当てカバーの厚みを部分的に大きくし得るだけでなく、部分的に小さくすることも可能であるから、ヘルメットサイズを部分的に小さくし得るだけでなく、部分的に大きくすることも可能である。さらに、ヘルメット装着予定者自身が、特別の道具を使用することなく、しかも、比較的簡単な操作でもって、サイズ調整のためまたは破損箇所を修復するために任意の箇所のカバー構成体の交換を行うことができる。また、キャップ状頭部用裏当てカバーが複数種類のカバー構成体から成っているにもかかわらず、この頭部用裏当てカバーのキャップ状頭部用衝撃吸収ライナなどへの取付けも比較的簡単である。
【発明を実施するための最良の形態】
【００１４】
つぎに、本発明をフルフェイス型ヘルメットに適用した一実施例を、「１、ヘルメット全体の概略的構成」、「２、キャップ状頭部用裏当てカバーの具体的構成」、「３、カバー構成体の組み立て方法」および「４、ヘルメットサイズの調整方法」に項分けして、図面を参照しつつ説明する。
【００１５】
１、ヘルメット全体の概略的構成
フルフェイス型ヘルメット１は、図１および図２に示すように、オートバイのライダなどのヘルメット装着者の頭部に装着されるフルフェイス型のキャップ状頭部保護体２と、ヘルメット装着者の額部と顎部との間（すなわち、顔面の中央部分）に対向するように頭部保護体２の前面に形成された窓孔３を開閉し得るシールド４と、頭部保護体２の内側にそれぞれ取り付けられた左右一対の顎掛け用バンド（図示せず）とから成っている。なお、シールド４は、周知のように、ポリカーボネート、その他の硬質合成樹脂などの透明または半透明の硬質材料から成っていてよい。さらに、シールド４の左右両端部付近は、左右一対の取付けねじ（図示せず）によって、頭部保護体２に回動自在に取り付けられている。そして、このシールド４は、図１および図２に示す復回動位置においては窓孔３を閉塞し、この復回動位置から上方へ回動した往回動位置においては窓孔３を開放し、これら両方の位置の中間の位置においては窓孔３を部分的に開放し得るように構成されている。さらに、図１および図２に示す頭部保護体２には、必要に応じて、周知のように１種類または複数種類のベンチレータ機構が組み込まれていてよい。
【００１６】
頭部保護体２は、図１および図２に示すように、この頭部保護体２の外周壁を構成しているフルフェイス型のキャップ状外側シェル１１と、この外側シェル１１の下端部の全周囲にわたって接着などにより取り付けられた断面ほぼＵ字状の下端用縁部材１２と、頭部保護体２の窓孔３を形成するために外側シェル１１に形成された窓孔１３の全周囲にわたって接着などにより取り付けられた断面ほぼＥ字状の窓孔用縁部材１４と、ヘルメット装着者の前頭部、頭頂部、左右両側頭部および後頭部にそれぞれほぼ対向する外側シェル１１の内周面の前頭領域、頭頂領域、左右両側頭領域および後頭領域に当接されて接着などにより取り付けられたキャップ状の頭部用裏当て部材１５と、ヘルメット装着者の顎部および頬部にそれぞれほぼ対向する外側シェル１１の内周面の顎領域および頬領域に当接されて接着などにより取付られけた顎・頬部用裏当て部材１６とから成っている。なお、外側シェル１１は、ＦＲＰ、その他の硬質合成樹脂などから成る強度の大きいシェル本体の内周面に多孔性不織布などの柔軟性シートが裏張りされた複合材料から成っていてよい。また、下端用縁部材１２は、発泡塩化ビニール、合成ゴム、その他の軟質合成樹脂などから成っていてよい。さらに、窓孔用縁部材１４は、合成ゴム、その他の可撓性に富んだ弾性材料から成っていてよい。
【００１７】
図２に示すキャップ状頭部用裏当て部材１５は、キャップ状の外側シェル１１の内部に配されてこの外側シェル１１に取付けられているキャップ状の頭部用衝撃吸収ライナ２１と、この頭部用衝撃吸収ライナ２１の内周面のほぼ全体を覆うように、この頭部用衝撃吸収ライナ２１の内部に配されてこの衝撃吸収ライナ２１に取り付けられている通気性でキャップ状の頭部用裏当てカバー（換言すれば、キャップ状頭部用内装パッド）２２とから成っている。また、顎・頬部用裏当て部材１６は、図１および図２に示すように、顎・頬部用衝撃吸収ライナ２３と、ヘルメット装着者の左右両頬部にそれぞれほぼ対向する顎・頬部用衝撃吸収ライナ２３の内周面の左右両頬領域にそれぞれ当接されて取り付けられた左右一対の頬部用ブロック状内装パッド２４ａ、２４ｂとから成っている。
【００１８】
図２に示す頭部用衝撃吸収ライナ２１および顎・頬部用衝撃吸収ライナ２３のそれぞれの本体部分は、発泡ポリスチレン、その他の合成樹脂などの適度な剛性と適度な塑性とを備えている材料から成っていてよい。また、頭部用裏当てカバー２２のカバー本体部分は、頭部用衝撃吸収ライナ２１に対向する側の面（すなわち、外側面）または両側面にウレタンフォーム、その他の発泡合成樹脂などの柔軟性に富んだ弾性材料から成る適当な形状の弾性層をラミネートした織布の部分や多孔性不織布の部分などを組み合わせたものから成っていてよい。なお、頭部用裏当てカバー２２の具体的な構成は、次項（すなわち、「２、キャップ状頭部用裏当てカバーの具体的構成」の項）において詳述する。
【００１９】
図１および図２に示す左右一対の頬部用ブロック状内装パッド２４ａ、２４ｂは、互いに左右対称的な構成であるから、右頬部用ブロック状内装パッド２４ｂについて図１および図２を参照しつつ説明し、左頬部用ブロック状内装パッド２４ａについての説明は、必要に応じて省略する。すなわち、図１および図２に示す右頬部用ブロック状内装パッド２４ｂは、パッド本体２５と、このパッド本体２５の下端部附近にそのほぼ全長にわたって縫い付け、テープ止め、接着などにより取り付けられた長手状の係合部材（図示せず）とから成っている。そして、パッド本体２５には、ヘルメット装着者の右耳部にほぼ対応する耳領域がほぼ欠除されるように切り込み部２６が形成されているので、このパッド本体２５は、ヘルメット装着者の右頬部およびその近傍（ただし、右耳部を除く）にそれぞれほぼ対応した形状を有している。また、パッド本体２５は、ウレタンフォーム、その他の発泡合成樹脂などの柔軟性に富んだ１個または複数個の弾性材料から構成された厚板形状のクッション部材（図示せず）と、このクッション部材のほぼ全体をほぼ袋状に覆っている袋状部材２７とから成っている。したがって、上記クッション部材は、袋状部材２７内に収納されて、この袋状部材２７に取り付けられている。また、袋状部材２７は、ビニールレザーなどの人工皮革の部分、織布の部分、多孔性不織布の部分（場合によっては、非多孔性不織布、合成樹脂シート、紙、合成樹脂をラミネートした紙、天然皮革などの任意の柔軟性シート材料の部分）のうちの１種類または複数種類の部分を縫い付け、接着などによって互いに結合したものであってよい。
【００２０】
図１および図２に示す頬部用ブロック状内装パッド２４ｂを図１および図２に示す顎・頬部用衝撃吸収ライナ２３に取付けるために、１個または複数個の丸型ホック（図示せず）の雌型部分（すなわち、雌型ホック）がこれらの内装パッド２４および衝撃吸収ライナ２３のうちの一方に取付けられ、上記丸型ホックの雄型ホックが他方に取付けられていてよい。そして、内装パッド２４ｂを衝撃吸収ライナ２３に取付けるときには、内装パッド２４ｂの例えば雄型ホックを衝撃吸収ライナ２３の例えば雌型ホックに凹凸係合させればよい。この場合、内装パッド２４ｂの前記長手状係合部材を外側シェル１１と顎・頬部用衝撃吸収ライナ２３との間に下方から予め差し込んでおく。
【００２１】
２、キャップ状頭部用裏当てカバーの具体的構成
キャップ状頭部用裏当てカバー（換言すれば、キャップ状頭部用内装パッド）２２は、図３〜図５に示すように、複数種類のカバー構成体を互いに組み合わせて結合することによって構成されている。具体的には、頭部用裏当てカバー２２は、前頭部用のカバー構成体３１、頭頂部用のカバー構成体３２、左側の側頭部（すなわち、左側頭部）用のカバー構成体３３、右側の側頭部（すなわち、右側頭部）用のカバー構成体３４および後頭部用のカバー構成体３５から成っていてよい。また、これらのカバー構成体３１〜３５のそれぞれは、単一のカバー構成体であってもよいし、複数個のカバー構成体を互いに分離自在に互いに組み合わせて結合することによって構成された複合形のカバー構成体であってもよい。具体的には、後頭部用カバー構成体３３は、後頭上部（換言すれば、後頭部の上側部分）用のカバー構成体３６と後頭下部（換言すれば、後頭部の下側部分）用のカバー構成体３７とから、複合形の後頭部用カバー構成体として構成されていてよい。
【００２２】
図３〜図５に示す頭部用裏当てカバー２２における各カバー構成体（換言すれば、各頭部用内装パッド構成体）３１〜３７は、キャップ状頭部保護体２に組み込まれた状態においては、ヘルメット装着者の頭部の各部分にそれぞれほぼ対向するものである。したがって、前頭部用カバー構成体３１、頭頂部用カバー構成体３２、左側頭部用カバー構成体３３、右側頭部用カバー構成体３４および後頭部用カバー構成体３５は、ヘルメット装着者の前頭部、頭頂部、左側頭部、右側頭部および後頭部にそれぞれほぼ対向する頭部保護体２の内周面の前頭領域、頭頂領域、左側頭領域、右側頭領域および後頭領域にそれぞれほぼ位置するように配されている。また、後頭上部用カバー構成体３６および後頭下部用カバー構成体３７は、ヘルメット装着者の後頭上部および後頭下部にそれぞれほぼ対向する頭部保護体２の内周面の後頭領域の上側部分および下側部分にそれぞれほぼ位置するように配されている。
【００２３】
図３〜図５に示す各カバー構成体３１〜３７は、カバー本体部分４１と、このカバー本体部分４１を隣接する別のカバー構成体３１〜３７のカバー本体部分に連結するための１個または複数個の連結手段を備えた１個または複数個の連結部材とから成っている。つぎに、各カバー構成体３１〜３７の具体的構成を、「（１）前頭部用カバー構成体」、「（２）頭頂部用カバー構成体」、「（３）左右両側頭部用カバー構成体」および「（４）後頭部用カバー構成体」に項分けして、図３〜図１５を参照しつつ説明する。
【００２４】
（１）前頭部用カバー構成体
図６および図７に示す前頭部用カバー構成体３１のカバー本体部分４１は、ヘルメット装着者の前頭部にほぼ対応した形状を有している。そしてこのカバー本体部分４１は、ウレタンフォーム、その他の発泡合成樹脂などの柔軟性に富んだ弾性材料から成る適当な形状（すなわち、ヘルメット装着者の前頭部にほぼ対応した形状）の弾性層（以下、単に「前記弾性層」という。）４２をその外側面に縫い付け、接着、加圧溶着などによりラミネートした布（具体的には、多孔性不織布、織布などの積層体）の第１の部分４０と、この布の第１の部分４０に縫い付け、接着などにより接続された布（具体的には、多孔性不織布、織布などの積層体）の第２の部分４３とから成っていてよい。そして、板状で長手状の第１の連結部材４４が、カバー本体部分４１の外側面の上端部にほぼ沿って延在するように前記弾性層４２（ひいては、上記布の第１の部分４０に間接的）に重ね合わせられた状態で、カバー本体部分４１に縫い付け、接着、熱溶着などにより取り付けられている。また、板状で長手状の第２の連結部材４５が、カバー本体部分４１の外側面の下端部にほぼ沿って布の第２の部分４３からさらに下方を延在する状態で、カバー本体部分４１に縫い付けなどにより取り付けられている。
【００２５】
図６および図７に示す第１の連結部材４４は、ほぼ左右両端部およびほぼ中央部のそれぞれに第１〜第３の板状突片部４６〜４８を有している。そして、これら第１〜第３の突片部４６〜４８のそれぞれには、互いにほぼ平行に延在していて差込み係合のための被差込み係合部として機能する左右一対のスリット状開孔（換言すれば、スリット状貫通孔）４９ａ、４９ｂがそれぞれ形成されている。具体的には、第１および第２の突片部４６、４７のそれぞれのスリット状開孔４９ａ、４９ｂは、互いにほぼ対向した状態でもって、ほぼ水平方向に延在していてよい。また、第３の突片部４８のスリット状開孔４９ａ、４９ｂは、互いにほぼ対向した状態でもって、ほぼ垂直方向に延在していてよい。
【００２６】
図６および図７に示す第２の連結部材４５は、頭部用衝撃吸収ライナ２１の前端部の下側面に配設されている第３の連結部材（図示せず）に連結されるものである。そして、この第２の連結部材４５は、差し込み係合のための差し込み係合部として機能するものであって、周知のように、上記第３の連結部材のスリット状被差し込み部（図示しないが、差し込み係合のための被差し込み係合部として機能する。）にそのほぼ全長およびほぼ全幅を差し込まれて、この第３の連結部材に係合される。また、この第２の連結部材４５の前側面には、例えば、凹凸係合のための凸型係合部として機能する左右一対の係合突起部５１ａ、５１ｂが突設されている。そして、上記差し込み時に、これらの突起部５１ａ、５１ｂが、上記第３の連結部材に設けられた例えば左右一対の係合穴（図示しないが、凹凸係合の凹型係合部として機能する。）に挿入されて、これらの係合穴に係止される。なお、第２の連結部材４５の下端４５ａは、上記第３の連結部の上記スリット状被差し込み部の形状に合うように、その長さ方向に沿って凹凸形状を有している。また、図示を省略したが、弾性層４２、第１および第２の連結部材４４、４５には、必要に応じて、通気性の付与、軽量化、柔軟性の付与、美感の付与などの１つまたは複数の目的のために、円形、スリット形状などの貫通孔、凹みなどを設けることができる。そして、このような貫通孔、凹みなどは、他のカバー構成体３２〜３７にも、同様に設けることができる。
【００２７】
以下において、図５に示す残りのカバー構成体３２〜３７について具体的に説明する。しかし、これらのカバー構成体３２〜３７において、上述の前頭部用カバー構成体３１と実質的に同一の構成であってよい事項については、必要に応じて、その説明を省略する。
【００２８】
（２）頭頂部用カバー構成体
図８および図９に示す頭頂部用カバー構成体３２は、ヘルメット装着者の頭頂部にほぼ対応した形状を有するカバー本体部分５２を有している。そして、このカバー本体部分５２は、その形状を除いて、前記カバー本体部分４１と実質的に同一の構成であってよい。また、板状で長手状の第１の連結部材５３が、カバー本体部分５２の内側面の前端部にほぼ沿って延在するように前記弾性層４２に相当する弾性層５４（ひいては、布の部分５９に間接的）に重ね合わせられた状態で、カバー本体部分５２に縫い付け、接着、熱溶着などにより取り付けられている。さらに、板状で長手状の第２の連結部材５５が、カバー本体部分５２の内側面の後端部にほぼ沿って延在するように弾性層５４に重ね合わせられた状態で、カバー本体部分５２に縫い付けなどにより取り付けられている。
【００２９】
図８および図９に示す第１の連結部材５３は、ほぼ左右両端部およびほぼ中央部のそれぞれに第１〜第３の板状突片部５６〜５８を有している。そして、これら第１および第２の突片部５６、５７のそれぞれは、左右斜め外方でかつ斜め前方に突出していて、ほぼＴ字状（換言すれば、基部がくびれた形状）であってよい。また、第３の突片部５８は、ほぼ前方に突出していて、差し込み係合のための差込み係合部として機能するようにほぼ＋字状（換言すれば、基部がくびれた形状）であってよい。また、第２の連結部材５５は、ほぼ左右両端部のそれぞれに第４および第５の板状突片部６１、６２を有している。そして、これら第４および第５の突片部６１、６２のそれぞれは、左右斜め外方でかつ斜め後方に突出していて、ほぼＴ字状（換言すれば、基部がくびれた形状）であってよい。また、第１、第２、第４および第５の突片部５６、５７、６１、６２は、ほぼＴ字状の形状の左右両側端部のそれぞれに、差し込み係合のための差込み係合部として機能するほぼ＋字状（換言すれば、基部がくびれた形状）の係合部６３ａ、６３ｂをそれぞれ有している。そして、カバー本体部分５２の中央部分付近には、前後方向にそれぞれ延在する１個または複数個のスリット状開孔６４が設けられている。また、カバー本体部分５２には、第１の連結部材５３の後端部に沿って延在している１個または複数個のスリット状開孔６５も設けられている。そして、カバー本体部分５２の外周囲やこれらのスリット状開孔６４、６５の外周囲などにおいて、カバー本体部分５２を大きな圧力でもって部分的に熱溶着することによって、弾性層５４と前記布の部分とを互いに熱溶着するとともに、この弾性層５４の厚みを著しく薄くすることができる。
【００３０】
（３）左右両側頭部用カバー構成体
図１０および図１１に示す左右両側頭部用カバー構成体３３、３４のうちの右側頭部用カバー構成体３４は、左側頭部用カバー構成体３３とほぼ左右対称的に構成されることができる。したがって、以下において、左側頭部用カバー構成体３３について詳細に説明し、右側頭部用カバー構成体３４の説明は、必要に応じて省略する。
【００３１】
図１０および図１１に示す左側頭部用カバー構成体３３は、ヘルメット装着者の左側頭部にほぼ対応した形状を有するカバー本体部分７１を有している。そして、このカバー本体部分７１は、その形状を除いて、前記カバー本体部分４１と実質的に同一の構成であってよい。また、ほぼ中間の部分７２が大きくくびれている板状の連結部材７３が、カバー本体部分７１の外側面の下方部分付近に延在するように前記弾性層４２に相当する弾性層７４（ひいては、布の部分７５に間接的）に重ね合わせられた状態で、布の部分７５にその下端部を縫い付け、接着、熱溶着などにより取り付けられている。
【００３２】
図１０および図１１に示す連結部材７３には、後部下端附近をカバー本体部分７１からほぼ下方（多少は斜め後方）に向かって突出させることによって、凹凸係合のための凹型係合部として機能する係合部７６が形成されている。そして、この係合部７６は、その基部がくびれていてくびれ部７７を有するとともに、その先端部側にダルマ穴７８を有している。なお、このダルマ穴７８は、上記先端部側が径小の穴７８ａで上記基端部側が径大の穴７８ｂになっていて、これらの穴７８ａ、７８ｂの間にくびれ部７８ｃを有している。また、連結部材７３の前後両側部分７３ａ、７３ｂには、互いにほぼ平行に延在していて差込み係合のための被差込み係合部として機能する左右一対のスリット状開孔（換言すれば、スリット状貫通孔）７９ａ、７９ｂがそれぞれ形成されている。具体的には、前側部分７３ａおよび後側部分７３ｂのそれぞれの左右一対のスリット状開孔７９ａ、７９ｂは、互いにほぼ対向した状態でもって、ほぼ水平方向に延在していてよい。
【００３３】
（４）後頭部用カバー構成体
図３〜図５に示す後頭部用カバー構成体３５は、図１２および図１３に示す後頭上部用カバー構成体３６と、図１４および図１５に示す後頭下部用カバー構成体３７とから成っている。そして、後頭上部用カバー構成体３６は、ヘルメット装着者の後頭部の上側部分にほぼ対応した形状を有するカバー本体部分８１を備えている。また、カバー本体部分８１は、その形状を除いて、前記カバー本体部分４１と実質的に同一の構成であってよい。さらに、ほぼ中央の部分８２が大きく開孔している連結部材８３が、カバー本体部分８１の外側面の上端部を除くほぼ全面に延在するように前記弾性層４２に相当する弾性層８４（ひいては、布の部分８５に間接的）に重ね合わせられた状態で、布の部分８５（連結部材８３の上端部のみ）およびカバー本体部分８１（連結部材８３の上端部を除く端部のみ）にそのほぼ全周に位置する外周端部を縫い付け、接着、熱溶着などにより取り付けられている。
【００３４】
図１２および図１３に示す後頭上部用カバー構成体３６の連結部材８３には、下端部のほぼ中央部をほぼ下方に向かって突出させることによって、差し込み係合のための差込み係合部として機能するほぼ＋字状（換言すれば、基部がくびれた形状）の第１の板状突片部８６が形成されている。また、連結部材８３の左右両側部分には、この連結部材８３の左右両側部分から中央開孔８２に向かってそれぞれ突出している第２および第３の板状突片部８７、８８がそれぞれ形成されている。そして、これら第２および第３の板状突片部８７、８８のそれぞれには、互いにほぼ平行に延在していて差し込み係合のための被差込み係合部として機能する左右一対のスリット状開孔（換言すれば、スリット状貫通孔）８９ａ、８９ｂがそれぞれ形成されている。具体的には、第２および第３の板状突片部８７、８８のそれぞれのスリット状開孔８９ａ、８９ｂは、互いにほぼ対向した状態でもって、ほぼ水平方向に延在していてよい。
【００３５】
図１４および図１５に示す後頭下部用カバー構成体３７は、ヘルメット装着者の後頭部の下側部分にほぼ対応した形状を有するカバー本体部分９１を備えている。そして、後頭上部用カバー構成体３６と後頭下部用カバー構成体３７とが互いに組み合わされて結合されることによって後頭部用カバー構成体３５が構成されている状態においては、後頭上部用カバー構成体３６のカバー本体部分８１と後頭下部用カバー構成体３７のカバー本体部分９１とから成る複合形のカバー本体部分８１、９１は、ヘルメット装着者の後頭部にほぼ対向した形状を有している。
【００３６】
図１４および図１５に示す後頭下部用カバー構成体３７のカバー本体部分９１には、ほぼ長方形状の連結部材９２が設けられている。そして、この連結部材９２は、カバー本体部分９１の外側面の下端部を除くほぼ全面に延在するように前記弾性層４２に相当する弾性層９３（ひいては、布の部分９４に間接的）に重ね合わせられた状態で、布の部分９４にそのほぼ全周に位置する外周端部を縫い付け、接着などにより取り付けられている。この場合、後頭下部用カバー構成体３７のカバー本体部分９１（ひいては、間接的には弾性層９３）は、ヘルメット装着者のうなじにほぼ対向することになるから、弾性層９３は、図１５に示すように、他のカバー構成体の弾性層に較べてその厚さが大きいのが好ましい。
【００３７】
図１４および図１５に示す後頭下部用カバー構成体３７の連結部材９２のほぼ中央部分には、互いにほぼ平行に延在していて差し込み係合のための被差込み係合部として機能する左右一対のスリット状開孔（換言すれば、スリット状貫通孔）９５ａ、９５ｂがそれぞれ形成されている。具体的には、これら左右一対のスリット状開孔９５ａ、９５ｂは、互いにほぼ対向した状態でもって、ほぼ垂直方向に延在していてよい。さらに、連結部材９２の左右両端部付近のそれぞれには、凹凸係合のための凸型係合部として機能する左右一対の丸型ホックの左右一対の雄型部分（すなわち、雄型ホック）９６ａ、９６ｂが取り付けられている。そして、図３〜図５に示すキャップ状の頭部用裏当てカバー１５がキャップ状の頭部用衝撃吸収ライナ２１の内側面に取り付けられるときには、これら一対の雄型ホック９６ａ、９６ｂが、頭部用衝撃吸収ライナ２１の内側面のこれらの雄型ホック９６ａ、９６ｂとほぼ対向する箇所に取り付けられた左右一対の雌型ホック（図示しないが、凹凸係合のための凹型係合部としてそれぞれ機能する。）に嵌合させることができる。
【００３８】
３、カバー構成体の組み立て方法
図５に示す６種類のカバー構成体３１〜３４、３６、３７をつぎに述べるように互いに分離自在（換言すれば、互いに容易に分離可能）に互いに組み合わせて結合することによって、図３および図４に示すキャップ状の頭部用裏当てカバー２２を組み立てることができる。また、これとは逆に、図３および図４に示すキャップ状頭部用裏当てカバー２２の相互の結合を解除することによって、この頭部用裏当てカバー２２を図５に示す６種類のカバー構成体に互いに分解（すなわち、分離）させることができる。この場合、頭部用裏当てカバー２２を、６種類のカバー構成体３１〜３４、３６、３７に互いに分離させないで、任意の２種類〜５種類のカバー構成体（換言すれば、複合形のカバー構成体を含むカバー構成体）３１〜３７に互いに分離させることも、もちろん可能である。なお、図５に示す６種類のカバー構成体３１〜３４、３６、３７を互いに組み合わせて結合する順序は、特に限定されるものではなく、この点は、互いに分離させる順序の場合も同じである。しかし、６種類のカバー構成体３１〜３４、３６、３７を互いに組み合わせて結合するのが比較的容易なのは、頭頂部用カバー構成体３２を中心として、この頭頂部用カバー構成体３２の外周囲に他の構成体３１〜３４、３６をそれぞれ結合させ、ついで、後頭上部用カバー構成体３６に後頭下部用カバー構成体３７を結合させる組み立て方法である。そして、このような組み立て方法の順序の一例を示せば、つぎの（ａ）項〜（ｅ）項に記載の手順のとおりである。
（ａ）前頭部用カバー構成体３１の第１〜第３の板状突片部４６〜４８のそれぞれ一対のスリット状開孔４９ａ、４９ｂに、頭頂部用カバー構成体３２の第１の板状突片部５６の＋字状係合部６３ｂ、第２の板状突片部５７の＋字状係合部６３ａおよび＋字状で板状の第３の突片部５８のそれぞれの両側に位置する一対の突起部を順次差し込むことによって、図３に示すように、頭頂部用カバー構成体３２に前頭部用カバー構成体３１を組み合わせて結合すること、
（ｂ）左側頭部用カバー構成体３３の連結部材７３の前側部分７３ａおよび後側部分７３ｂのそれぞれの一対のスリット状開孔７９ａ、７９ｂに、頭頂部用カバー構成体３２の第１の板状突片部５６の＋字状係合部６３ａおよび第４の板状突片部６１の＋字状係合部６３ａのそれぞれの両側に位置する一対の突起部を順次差し込むことによって、図３に示すように、頭頂部用カバー構成体３２に左側頭部用カバー構成体３３を組み合わせて結合すること、
（ｃ）右側頭部用カバー構成体３４の連結部材７３の前側部分７３ａおよび後側部分７３ｂのそれぞれの一対のスリット状開孔７９ａ、７９ｂに、頭頂部用カバー構成体３２の第２の板状突片部５６の＋字状係合部６３ｂおよび第５の板状突片部６２の＋字状係合部６３ｂのそれぞれの両側に位置する一対の突起部を順次差し込むことによって、図４に示すように、頭頂部用カバー構成体３２に右側頭部用カバー構成体３４を組み合わせて結合すること、
（ｄ）後頭上部用カバー構成体３６の連結部材８３の第２および第３の板状突片部８７、８８のそれぞれの一対のスリット状開孔８９ａ、８９ｂに、頭頂部用カバー構成体３２の第４の板状突片部６１の＋字状係合部６３ｂおよび第５の板状突片部６２の＋字状係合部６３ａのそれぞれの両側に位置する一対の突起部を順次差し込むことによって、図４に示すように、頭頂部用カバー構成体３２に後頭上部用カバー構成体３６を組み合わせて結合すること、および
（ｅ）左側頭部用カバー構成体３３および右側頭部用カバー構成体３４のそれぞれのダルマ穴７８の径大の穴７８ｂに、後頭下部用カバー構成体３７の左右一対の雄型ホック９６ａ、９６ｂをそれぞれ挿入してから、この後頭下部用カバー構成体３７をほぼ下方に引っ張ることなどによって、これらの雄型ホック９６ａ、９６ｂのそれぞれをダルマ穴７８の径大の穴７８ｂからくびれ部７８ｃを通して径小の穴７８ａへと移動させ、これと相前後して、後頭下部用カバー構成体３７の連結部材９２の一対のスリット状開孔９５ａ、９５ｂに、後頭上部用カバー構成体３６の＋字状で板状の第１の突片部８６の両側に位置する一対の突起部を順次差し込むことによって、図４に示すように、左右両側頭部用カバー構成体３３、３４および後頭上部用カバー構成体３６に後頭下部用カバー構成体３７を組み合わせて結合すること（したがって、雄型ホック９６ａ、９６ｂは、後頭下部用カバー構成体３７の頭部用衝撃吸収ライナ２１との結合と、左右両側頭部用カバー構成体３３、３４との結合との両方の機能を有している）。
【００３９】
上記（ａ）項〜（ｅ）項に記載の手順における一対のスリット状開孔への＋字状係合部の一対の突起部の差し込みは、いずれも同様の操作でもって行うことができる。例えば、上記（ａ）項に記載したように、第１の板状突片部４６の一対のスリット状開孔４９ａ、４９ｂに、第１の板状突片部５６の＋字状係合部６３ｂの両側に位置する一対の突起部６６ａ、６６ｂをそれぞれ差し込む場合について、図３、図６および図８を参照して説明すると、まず、＋字状係合部６３ｂを一対の突起部６６ａ、６６ｂの間において凸形状に湾曲（換言すれば、弾性変形）させた状態にする。ついで、一対の突起部６６ａ、６６ｂのそれぞれの先端部を一対のスリット状開孔４９ａ、４９ｂにそれぞれ当てがってから、上記弾性変形を解消させると、一対の突起部６６ａ、６６ｂが、図３に示すように、一対のスリット状開孔４９ａ、４９ｂにそれぞれ差し込まれるので、＋字状係合部６３ｂは第１の板状突片部４６に比較的強固に差し込み係合される。また、図３および図４に示す頭部用裏当てカバー２２を図５に示す６種類のカバー構成体３１〜３４、３６、３７などに互いに分離させる場合には、上記（ａ）項〜（ｅ）項に記載の順序とは逆の順序の操作を行えばよい。
【００４０】
上記（ａ）項〜（ｅ）項に記載の手順にしたがって組み立てられた図３および図４に示す頭部用裏当てカバー２２の外周面の形状は、図２に示す頭部用衝撃吸収ライナ２１の内周面の形状とほぼ同形状であってよい。具体的には、裏当てカバー２２の外周面の形状は、衝撃吸収ライナ２１の内周面の形状とは、つぎの（ｆ）項および（ｇ）項に記載の点で相違しているだけであってよい。
（ｆ）図６に示す前頭部用カバー構成体３１の布の第２の部分４３および第２の連結部材４５のそれぞれが、衝撃吸収ライナ２１の内周面ではなくて、図２に示すように、この衝撃吸収ライナ２１の前端部の下面に当接されること、および
（ｇ）左右両側頭部用カバー構成体３３、３４が、図２〜図５および図１０に示すように、これらの左右両側頭部用カバー構成体３３、３４の下端部のほぼ中央部分においてヘルメット装着者の耳部にほぼ対応した左右両側の切り込み部７０を有しているために、衝撃吸収ライナ２１の内周面の上記切り込み部７０にほぼ対応した箇所が裏当てカバー２２から露出していること。
【００４１】
上記（ａ）項〜（ｅ）に記載の手順にしたがって組み立てられた図３および図４に示す頭部用裏当てカバー２２を頭部用衝撃吸収ライナ２１に取り付ける手順は、つぎの（ｈ）項および（ｉ）項に記載のとおりであってよい。そして、これら（ｈ）項および（ｉ）項に記載の手順を行うことによって、頭部用裏当てカバー２２は、その外側面を頭部用衝撃吸収ライナ２１の内側面に当接させた状態で、この衝撃吸収ライナ２１に取り付けられることができる。また、裏当てカバー２２を衝撃吸収ライナ２１から取り外すときには、これら（ｈ）項および（ｉ）項に記載の手順とは逆の手順の操作を行えばよい。
（ｈ）前記２（４）項に記載したように、後頭下部用カバー構成体３７に設けられている左右一対の雄型ホック９６ａ、９６ｂを頭部用衝撃吸収ライナ２１の内側面に設けられている前記左右一対の雌型ホックに嵌合させること、および
（ｉ）上記（ｈ）項に記載の手順と相前後して、前記２（１）項に記載したように、前頭部用カバー構成体３１の第２の連結部材４５を頭部用衝撃吸収ライナ２１の前記第３の連結部材のスリット状被差し込み部に差し込んで係合させるとともに、上記第２の連結部材４５の一対の係合突起部５１ａ、５１ｂを上記第３の連結部材の一対の係合穴にそれぞれ挿入させて凹凸係合により係止させること。
【００４２】
４、ヘルメットサイズの調整方法
ヘルメット販売店の従業員、ヘルメット装着予定者などのサイズ調整作業者は、つぎの（ａ）項〜（ｃ）項に記載の手順でもって、ヘルメット１のサイズを調整することができる。
（ａ）頭部用裏当てカバー２２の６種類のカバー構成体３１〜３４、３６、３７のうちの１種類、複数種類または全部の種類について、厚み（および、場合によっては、大きさや形状など）の異なる複数種類のカバー構成体を予め用意しておく（カバー構成体の厚みを異ならせることは、カバー構成体を構成している弾性層の厚みを変えることによって、容易に達成することができる。）、
（ｂ）ヘルメット装着予定者の頭部の前後長、左右幅および／または周囲長を実測したり、ヘルメット装着予定者がヘルメット（場合によっては、頭部用裏当てカバー２２のみ）を実際に着用したりすることによって、ヘルメット１の６種類のカバー構成体３１〜３４、３６、３７のうちの１種類、複数種類、または全部の種類のカバー構成体が、ヘルメット着用予定者の頭部に適合しているのか、あるいは、適合していないのかを決定すること、および
（ｃ）必要があれば、上記（ｂ）項に記載の決定に基づいて、６種類のカバー構成体３１〜３４、３６、３７のうちの１種類、複数種類または全部の種類のカバー構成体を、厚みなどが異なる別のカバー構成体に交換にすること。
【００４３】
上記（ｂ）項においては、サイズの異なる複数個のサンプルヘルメットをヘルメット販売店に用意しておいて、どのサイズのサンプルヘルメットがヘルメット着用予定者の頭部に良く適合するのかを決定するようにしてもよい。また、上記（ｃ）項においては、この適合性の決定に基づいて６種類のカバー構成体３１〜３４、３６、３７の厚みなどの種類を決定し、この決定に基づいてこれら６種類のカバー構成体３１〜３４、３６、３７から頭部用裏当てカバー２２を新たに組み立てるようにしてもよい。
【００４４】
以上において、本発明の一実施例について詳細に説明したが、本発明は、この実施例に限定されるものではなく、特許請求の範囲に記載された発明の趣旨に基づいて各種の変更および修正が可能である。
【００４５】
例えば、上述の実施例においては、カバー構成体３１〜３４、３６、３７を互いに組み合わせて結合する１種類の結合手段として、一方のカバー構成体に差し込み係合部を設けるとともに、他方のカバー構成体に上記差し込み係合部を差し込み係合するためのスリット状開孔を設けたものを用いている。また、別の１種類の結合手段として、ダルマ穴利用の凹凸係合手段７８、９６ａ、９６ｂを用いている。しかし、上記結合手段は、面ファスナであってもよく、このような面ファスナは、通常、マジックテープ（商標）、ベルクロ（商標）などと称されている。そして、このような面ファスナは、通常、一方のカバー構成体に設けられる面部材が多数個のループ状フックを有するとともに、他方のカバー構成体に設けられる他方の面部材が多数個の非ループ状フック（換言すれば、各ループ状フックの１箇所に切断箇所が設けられたフック）を有している。また、上記結合手段は、上記２（４）項に記載した丸型ホックのようなホックであってもよく、この場合、一方のカバー構成体に雄型ホックが設けられるとともに、他方のカバー構成体に雌型ホックが設けられればよい。
【００４６】
また、上述の実施例においては、頭部用衝撃吸収ライナ２１の内周面に頭部用裏当てカバー２２を取り付けるための取付け手段として、上記３項の（ｈ）項および（ｉ）項に記載のように、丸型ホック９６ａ、９６ｂ、差し込み係合手段４５および凹凸係合手段５１ａ、５１ｂを設けている。しかし、上記取付け手段としては、このような丸型ホック９６ａ、９６ｂ、差し込み係合手段４５および凹凸係合手段５１ａ、５１ｂだけではなく、上述のような面ファスナも用いることができ、さらに、これらの係合手段の任意の１種類または任意の複数種類を用いることもできる。そして、上記丸型ホックは、雄型ホック９６ａ、９６ｂをカバー構成体側に設ける必要は必ずしもなく、雌型ホックをカバー構成体側に設けるとともに雄型ホックを頭部用衝撃吸収ライナ２１側に設けてもよい。
【００４７】
また、上述の実施例においては、カバー構成体のそれぞれのカバー本体部分を１枚の弾性層とこの弾性層のほぼ一方の面に積層されているほぼ１枚の布の部分とから構成した。しかし、この布の部分は、上記弾性層をほぼ全体的に被覆するほぼ袋形状であってもよい。また、弾性層は、必ずしも１枚である必要はなくて、２枚以上が互いに積層されていてもよい。
【００４８】
また、上述の実施例においては、頭部用裏当てカバー２２を６種類のカバー構成体３１〜３４、３６、３７によって構成するようにした。しかし、頭部用裏当てカバー２２は、６種類以外の複数種類であってもよく、例えば、後頭上部用カバー構成体３６と後頭下部用カバー構成体３７とを互いに分離できないように互いに一体的に合体させることによって構成した単一の後頭部用カバー構成体３５を用いるようにしてもよい。
【００４９】
また、上述の実施例においては、複合形の後頭部用カバー構成体３５をそれぞれ構成している後頭上部用カバー構成体３６と後頭下部用カバー構成体３７とを、連結部材８３の第１の板状突片部８６と連結部材９２のスリット状開孔９５ａ、９５ｂとによって、互いに直接連結するように構成した。しかし、後頭上部用カバー構成体３６と後頭下部用カバー構成体３７とは、互いに直接連結されている必要は必ずしもなく、上記第１の板状突片部８６と上記スリット状開孔９５ａ、９５ｂとによる連結機構を省略することによって、頭頂部用カバー構成体３２の第４の板状突片部６１の係合部６３ｂおよび第５の板状突片部６２の係合部６３ａと、左右両側頭部用カバー構成体３３、３４のそれぞれのスリット状開孔７９ａ、７９ｂおよび係合部７６のだるま穴７８とによって、頭頂部用カバー構成体３２および左右両側頭部用カバー構成体３３、３４をそれぞれ介して間接的に連結されていてもよく、また、左右両側頭部用カバー構成体３３、３４のそれぞれと後頭上部用カバー構成体３６とを互いに直接的に連結するための連結機構をこれらのカバー構成体３３、３４、３６に新たに設けることによって、左右両側頭部用カバー構成体３３、３４をそれぞれ介して間接的に連結されていてもよい。
【００５０】
さらに、上述の実施例においては、本発明をフルフェイス型ヘルメットについて適用したが、本発明をジェット型、セミジェット型などの別の種類のヘルメットにも適用することができる。
【図面の簡単な説明】
【００５１】
【図１】本発明をフルフェイス型ヘルメットに適用した一実施例におけるヘルメット全体の概略的な斜視図である。（実施例１）
【図２】図１のヘルメットの拡大した中央縦断面図である。（実施例１）
【図３】図１のヘルメットの頭部用裏当てカバーの斜め前方から見た斜視図である。（実施例１）
【図４】図３の頭部用裏当てカバーの斜め後方から見た斜視図である。（実施例１）
【図５】図の頭部用裏当てカバーの分解しかつ必要に応じて展開した状態における平面図である。（実施例１）
【図６】図５の前頭部用カバー構成体の正面図である。（実施例１）
【図７】図５のＡ−Ａ線に沿った断面図である。（実施例１）
【図８】図５の頭頂部用カバー構成体の展開した状態における平面図である。（実施例１）
【図９】図８のＢ−Ｂ線に沿った断面図である。（実施例１）
【図１０】図５の左側頭部用および右側頭部用カバー構成体の正面図である。（実施例１）
【図１１】図１０のＣ−Ｃ線に沿った断面図である。（実施例１）
【図１２】図５の後頭上部用カバー構成体の正面図である。（実施例１）
【図１３】図１２のＤ−Ｄ線に沿った断面図である。（実施例１）
【図１４】図５の後頭下部用カバー構成体の正面図である。（実施例１）
【図１５】図１４のＥ−Ｅ線に沿った断面図である。（実施例１）
【符号の説明】
【００５２】
１        フルフェイス型ヘルメット
２２      キャップ状頭部用裏当てカバー
３１      前頭部用カバー構成体
３２      頭頂部用カバー構成体
３３      左側頭部用カバー構成体
３４      右側頭部用カバー構成体
３５      複合形後頭部用カバー構成体
３６      後頭上部用カバー構成体
３７      後頭下部用カバー構成体
４１      カバー本体部分
４２      弾性層
４９ａ    スリット状開孔（連結手段）
４９ｂ    スリット状開孔（連結手段）
５２      カバー本体部分
５４      弾性層
５８      第３の板状突片部（連結手段）
６３ａ    係合部（連結手段）
６３ｂ    係合部（連結手段）
７１      カバー本体部分
７４      弾性層
７８      ダルマ穴（連結手段）
７９ａ    スリット状開孔（連結手段）
７９ｂ    スリット状開孔（連結手段）
８１      カバー本体部分
８４      弾性層
８６      第１の板状突片部（連結手段）
８９ａ    スリット状開孔（連結手段）
８９ｂ    スリット状開孔（連結手段）
９１      カバー本体部分
９３      弾性層
９５ａ    スリット状開孔（連結手段）
９５ｂ    スリット状開孔（連結手段）
【図１】
2008190084.tif 000003
【図２】
2008190084.tif 000004
【図３】
2008190084.tif 000005
【図４】
2008190084.tif 000006
【図５】
2008190084.tif 000007
【図６】
2008190084.tif 000008
【図７】
2008190084.tif 000009
【図８】
2008190084.tif 000010
【図９】
2008190084.tif 000011
【図１０】
2008190084.tif 000012
【図１１】
2008190084.tif 000013
【図１２】
2008190084.tif 000014
【図１３】
2008190084.tif 000015
【図１４】
2008190084.tif 000016
【図１５】
2008190084.tif 000017